(57)【要約】【課題】  貯蔵室内面側に取り付けられる照明の薄型化を可能としつつ、貯蔵室内空間の全体を十分な明るさでより均一に照らすことの可能な照明モジュールを取り付けた冷蔵庫を提供する。【解決手段】  光源１３と導光板１４を備える照明モジュール１２を貯蔵室６に取り付けられた冷蔵庫において、照明モジュール１２は、帯板状に形成された導光板１４の短手方向に沿ってのびる少なくとも一方の側面に受光面１６を形成するとともに該受光面１６に光源１３を向かい合わせて配置しており、受光面１６から導光板１４に入射された光を導光板１４の表裏面の一方面側から出射するように構成されて該一方面に発光面１９を形成しており、且つ、貯蔵室６内の内面の所定位置に、該発光面１９が貯蔵室６内部側を向くとともに、導光板１４の長手方向が貯蔵室６の奥行き方向に対して交差するように配置されている。【選択図】  図１
2015114005.tif 000002
【特許請求の範囲】
【請求項１】
光源と導光板を備える照明モジュールを貯蔵室に取り付けられた冷蔵庫であって、
照明モジュールは、帯板状に形成された導光板の短手方向に沿ってのびる少なくとも一方の側面に受光面を形成するとともに該受光面に光源を向かい合わせて配置しており、受光面から導光板に入射された光を導光板の表裏面の一方面側から出射するように構成されて該一方面に発光面を形成しており、且つ、該発光面が貯蔵室内部側を向くとともに、導光板の長手方向が貯蔵室の奥行き方向に対して交差するように、貯蔵室内の内面の所定位置に配置されている、ことを特徴とする冷蔵庫。
【請求項２】
受光面から導光板に光を入射した場合に発光面における受光面寄りの所定位置の輝度が発光面の中央位置の輝度以上であるように構成されている、ことを特徴とする請求項１に記載の冷蔵庫。
【請求項３】
照明モジュールは、導光板の表裏面のうち発光面とは逆面側をなす背面に反射構造が形成されており、該背面に対して向かい合わせに光反射シートを備えている、請求項１または２に記載の冷蔵庫。
【請求項４】
照明モジュールは、導光板の表裏面のうち発光面とは逆面側の最外側に放熱板を備えており、放熱板に光源が固定されている、請求項１から３のいずれかに記載の冷蔵庫。
【請求項５】
照明モジュールの発光面を覆うように光透過性を有するカバー部材が取り付けられており、
照明モジュールは、カバー部材に固定されている、請求項１から４のいずれかに記載の冷蔵庫。
【請求項６】
照明モジュールは、導光板の短手方向に沿ってのびる一方側面に受光面を形成し、当該一方側面に対する逆端面側に反射材と緩衝材をこの順に設けている、請求項１から５のいずれかに記載の冷蔵庫。
【発明の詳細な説明】
【技術分野】
【０００１】
本発明は、冷蔵庫に関する。
【背景技術】
【０００２】
冷蔵庫には、野菜や果物をはじめ様々なものが収納されるが、これら収納物の視認性を向上させるため、通常、冷蔵庫は貯蔵室内面側に照明を設けられて貯蔵室内を照らすことができるように構成されている。
【０００３】
冷蔵庫の貯蔵室内に収納される収納物には、大小様々な種類が存在していることから、冷蔵庫には貯蔵室の容積を増大させる要請がある。ところが、その一方で、冷蔵庫の配置スペースには、通常、限りがあるため、冷蔵庫の外寸法の増大を抑えることも要請される。したがって、冷蔵庫の外寸法の増大を抑えつつ貯蔵室の容積を増大させることが重要となる。
【０００４】
この点に関して、冷蔵庫として、光源と導光板を用いて構成された照明モジュールを照明として、貯蔵室内に取り付けたものが提案されている。このような照明モジュールとして、具体的に、導光板の側面を受光面として光源から入射された光を導光板の発光面から冷蔵庫の内部空間に向けて面発光可能に構成されたものが提案されている（特許文献１）。
【０００５】
ここで、このような照明モジュールは、導光板の厚みを薄くすることで薄型化することが可能である。すると、照明モジュールを取りつけた冷蔵庫においては、照明の薄型化が可能となり、照明の配置に必要なスペースを小さくすることができ、冷蔵庫の外寸法の増大を抑えつつ貯蔵室の容積を増大させることができる。
【先行技術文献】
【特許文献】
【０００６】
【特許文献１】特開２００５−３４４９７６号公報
【発明の概要】
【発明が解決しようとする課題】
【０００７】
しかしながら、冷蔵庫において貯蔵室の容積を増大させた場合には、貯蔵室内面側に取り付けられる照明で貯蔵室内空間の全体を十分な明るさでより均一に照らすことが容易でなくなるという問題が生じてくる。
【０００８】
例えば、特許文献１に示される冷蔵庫では、貯蔵室内の側面に、上下方向に間隔をあけて複数枚の導光板が並設される。このように間隔をあけて複数枚の導光板が並設される場合には、導光板の配置位置近傍の空間が明るくなるものの、隣り合う導光板の間で暗い空間を生じやすくなり、貯蔵室内の空間に明暗ムラを生じやすくなる。
【０００９】
本発明は、貯蔵室内面側に取り付けられる照明の薄型化を可能としつつ、貯蔵室内空間の全体を十分な明るさでより均一に照らすことの可能な照明モジュールを取り付けた冷蔵庫を提供することを目的とする。
【課題を解決するための手段】
【００１０】
本発明は、（１）光源と導光板を備える照明モジュールを貯蔵室に取り付けられた冷蔵庫であって、
照明モジュールは、帯板状に形成された導光板の短手方向に沿ってのびる少なくとも一方の側面に受光面を形成するとともに該受光面に光源を向かい合わせて配置しており、受光面から導光板に入射された光を導光板の表裏面の一方面側から出射するように構成されて該一方面に発光面を形成しており、且つ、該発光面が貯蔵室内部側を向くとともに、導光板の長手方向が貯蔵室の奥行き方向に対して交差するように、貯蔵室内の内面の所定位置に配置されている、ことを特徴とする冷蔵庫、
（２）受光面から導光板に光を入射した場合に発光面における受光面寄りの所定位置の輝度が発光面の中央位置の輝度以上であるように構成されている、ことを特徴とする上記（１）に記載の冷蔵庫、
（３）照明モジュールは、導光板の表裏面のうち発光面とは逆面側をなす背面に反射構造が形成されており、該背面に対して向かい合わせに光反射シートを備えている、上記（１）または（２）に記載の冷蔵庫、
（４）照明モジュールは、導光板の表裏面のうち発光面とは逆面側の最外側に放熱板を備えており、放熱板に光源が固定されている、上記（１）から（３）のいずれかに記載の冷蔵庫、
（５）照明モジュールの発光面を覆うように光透過性を有するカバー部材が取り付けられており、
照明モジュールは、カバー部材に固定されている、上記（１）から（４）のいずれかに記載の冷蔵庫、
（６）照明モジュールは、導光板の短手方向に沿ってのびる一方側面に受光面を形成し、当該一方側面に対する逆端面側に反射材と緩衝材をこの順に設けている、上記（１）から（５）のいずれかに記載の冷蔵庫、を要旨とする。
【００１１】
また、本発明は、
（７）照明モジュールは、導光板の短手方向に沿った両側面をそれぞれ受光面となし、それぞれの受光面に向かい合わせに光源を配置している、上記（１）から（５）のいずれかに記載の冷蔵庫、
（８）照明モジュールは、該発光面を貯蔵室内部側に向けつつ貯蔵室内の左右両方の内側壁それぞれの所定位置に取り付けられている、上記（１）から（７）のいずれかに記載の冷蔵庫、
（９）導光板の長手方向が上下方向となるように取り付けられている、上記（１）から（８）のいずれかに記載の冷蔵庫、
（１０）発光面は、貯蔵室内の前後方向に対して斜めに且つ貯蔵室内の奥方側に向けられている、上記（１）から（９）のいずれかに記載の冷蔵庫、
（１１）冷蔵庫の貯蔵室内には、棚板が設けられており、
照明モジュールは、棚板の前端よりも前方側にあって貯蔵室内の内面の前端よりも後方側の所定位置に取り付けられている、上記（１）から（１０）のいずれかに記載の冷蔵庫、
（１２）放熱板が金属板で構成されている、上記（４）に記載の冷蔵庫、
（１３）カバー部材の所定位置に放熱板固定部が形成されており、
カバー部材は、放熱板固定部で照明モジュールの放熱板を挟持している、上記（４）に従属する上記（５）に記載の冷蔵庫、
（１４）カバー部材の所定位置に導光板固定部が形成されており、
カバー部材は、導光板固定部で照明モジュールの導光板を挟持している、上記（５）または（１３）に記載の冷蔵庫、
（１５）冷蔵庫には、照明モジュールを収容可能な没入部が形成されている、上記（１）から（１４）のいずれかに記載の冷蔵庫、
（１６）冷蔵庫には、照明モジュールの発光面を覆うように光透過性を有するカバー部材が取り付けられており、
照明モジュールは、カバー部材に固定されており、
照明モジュールを収容可能な没入部がカバー部材をはめ付け可能な形状に形成されており、
カバー部材には係止爪を有する係止部が突設形成されており、没入部の所定位置には、係止爪を受けて係止部を係止可能に構成された受け部が形成されている、上記（１）から（４）および上記（６）から上記（１５）のいずれかに記載の冷蔵庫、とされていてもよい。
【発明の効果】
【００１２】
本発明によれば、貯蔵室内面側に取り付けられる照明の薄型化を可能としつつ、貯蔵室内空間の全体を十分な明るさでより均一に照らすことの可能な照明モジュールを取り付けた冷蔵庫を提供することが可能となる。
【図面の簡単な説明】
【００１３】
【図１】図１は、本発明における冷蔵庫の一実施例を模式的に示す概略斜視模式図である。
【図２】図２は、図１のＩ−Ｉ線断面状態の概略を模式的に示す概略断面模式図である。
【図３】図３Ａは、本発明における冷蔵庫に取り付けられる照明モジュールの一実施例を模式的に示す概略斜視模式図である。図３Ｂは、図３Ａを導光板の背面側からみた場合の状態を模式的に示す概略背面模式図である。図３Ｃは、図３Ａの領域Ｘの部分を拡大した状態を模式的に示す概略側面模式図であるとともに導光板に入射した光の伝達経路を説明するための図である。図３Ｄは、反射構造が、光反射パターン層で構成されている場合における、図３Ｃに対応する図である。
【図４】図４Ａは、照明モジュールが光反射シートを備える場合の一実施例を模式的に示す概略斜視模式図である。図４Ｂは、照明モジュールが放熱板を備える場合の一実施例を模式的に示す概略斜視模式図である。図４Ｃは、照明モジュールが位置調整シートを備える場合の一実施例を模式的に示す概略斜視模式図である。
【図５】図５は、照明モジュールが、光の反射材の露出面側に緩衝材を備える場合の一実施例を模式的に示す概略斜視模式図である。
【図６】図６Ａは、図２においてカバー部材の記載を省略した場合を説明するための図であり、照明モジュールの配置を説明するための図である。図６Ｂは、図２のＡ−Ａ線断面状態の概略を模式的に示す概略断面模式図である。
【図７】図７は、図２のＢ−Ｂ線断面状態の概略を模式的に示す概略断面模式図である。
【図８】図８Ａは、カバー部材に対する照明モジュールの固定構造の他形態の一例を説明する図であり、図６Ｂに対応する図面である。図８Ｂは、照明モジュールの発光面の向きを変更した実施形態の一例を説明する図であり、図６Ｂに対応する図面である。
【図９】図９Ａは、照明モジュールが、放熱板に対して導光板を導光板固定部材で固定した構造を備える場合を説明する概略平面模式図である。図９Ｂは、図９Ａを、導光板の長手方向に沿ってのびる側面に向かい合うような方向を視線方向として見た場合の概略状態を模式的に示す概略側面模式図である。
【図１０】図１０Ａは、照明モジュールが受光面を複数有する場合の一実施例を説明する概略平面模式図である。図１０Ｂは、照明モジュールが受光面を複数有するとともに放熱板を有する場合の一実施例を説明する概略平面模式図である。
【図１１】図１１は、本発明の冷蔵庫において、照明モジュールから貯蔵室内に向かう光の状態を説明するための図である。
【図１２】図１２Ａは、本発明の冷蔵庫において、照明モジュールを覆うカバー部材が放熱板固定部と導光板固定部を備える場合の一実施例を説明するための要部説明図である。図１２Ｂは、図１２ＡのＣ−Ｃ線断面の状態を模式的に示す概略断面模式図である。図１２Ｃは、図１２ＡのＤ−Ｄ線断面の状態を模式的に示す概略断面模式図である。
【図１３】図１３は、本発明の冷蔵庫１において、照明モジュール１２が貯蔵室６内の内面に直接接するように取り付けられている場合についての一実施例につき、図２のＡ−Ａ線断面に対応する断面の概略状態を模式的に示す図である。
【図１４】図１４Ａは、冷蔵庫１において、照明モジュールが貯蔵室内の天井部の所定位置に取り付けられている場合についての一実施例につき、冷蔵庫における貯蔵室の部分を正面からみた状態を模式的に示す概略正面模式図である。図１４Ｂは、図１４Ａに示す実施例について冷蔵庫を上面（平面）側から見た状態を模式的に示す概略上面模式図である。
【図１５】図１５Ａは、本発明の冷蔵庫において、照明モジュールを覆うカバー部材が放熱板固定部と導光板固定部を備える場合で、照明モジュールが受光面よりも冷蔵庫の上下方向に下側に光源を位置させるように配置されるとともにスペーサーを備える場合についての一実施例を説明するための要部説明図である。図１５Ｂは、図１５ＡのＥ−Ｅ線断面の状態を模式的に示す概略断面模式図である。
【図１６】図１６Ａは、本発明の冷蔵庫において、照明モジュールを覆うカバー部材が放熱板固定部と導光板固定部を備える場合で、照明モジュールが導光板の長手方向に互いに逆端に位置する両側面に受光面を形成してそれぞれの受光面に向かい合うように光源を配置されるとともにそれぞれの光源のそばにスペーサーを備える場合についての一実施例を説明するための要部説明図である。図１６Ｂは、図１６ＡのＧ−Ｇ線断面の状態を模式的に示す概略断面模式図である。
【発明を実施するための形態】
【００１４】
［冷蔵庫１］
冷蔵庫１は、図１に示すように、冷蔵庫本体２と冷却機構（図示しない）とを備えて構成されている。
【００１５】
（冷蔵庫本体２）
冷蔵庫本体２は、前面側に開口部３を形成した断熱筐体４と、その断熱筐体４を開口部３にて開閉自在とするように取り付けられた扉５を備える。なお、冷蔵庫１において、前後方向については、扉５を閉めた状態で貯蔵室６の奥側から扉５側に近づく方向を前方向として、扉５から離れて貯蔵室６の奥方に向かう方向を後方向（図２、図６、図８において矢印Ｆ方向）とする。冷蔵庫１において、前後方向は、貯蔵室６の奥行き方向に一致する。また、観察者が冷蔵庫１を開口部３に向かいあうように見た場合に、右手方向、左手方向となる方向をそれぞれ右方向、左方向とする。また、前後方向と左右方向の両方向に直交する方向を上下方向とする。
【００１６】
（貯蔵室６）
冷蔵庫本体２においては、被冷蔵対象物を収納可能であり且つ収納物を冷蔵可能な貯蔵室６が断熱筐体４の内部空間に形成されていればよく、断熱筐体４の内部空間の一部の区画が貯蔵室６とされてよいほか、断熱筐体４の内部空間全体が貯蔵室６とされてよい。本発明の冷蔵庫１においては、貯蔵室６内の空間は、冷却機構で冷却される。
【００１７】
（断熱筐体４）
断熱筐体４は、図２に示すように、所定形状の外装体４７と、外装体４７内に取り付けられ貯蔵室６内の空間の形状に応じて適宜形状に設計可能な内装体４８とを備えるとともに、外装体４７と内装体４８の間に断熱材４９を設けて構成される。断熱材４９としては、ウレタン樹脂などを例示することができる。
【００１８】
（扉５）
冷蔵庫本体２には、貯蔵室６の部分を開閉可能とするように、扉５が設けられている。貯蔵室６の部分を開閉可能とする扉５は、軸体と受け部で構成される軸支構造（図示しない）によって開閉自在とするように取り付けられている。軸支構造は、一般に、断熱筐体４における貯蔵室６を形成する部分の左右端の一方側の上下端に形成される。そして、図１に示す冷蔵庫１の一例では、軸支構造の配置位置を通って上下方向にのびるラインを仮想した場合に、仮想されたライン（図１中、一点鎖線ｈ）を軸として両矢印Ｒｏ方向に回動可能となるように扉５が断熱筐体４に取り付けられている。
【００１９】
（棚板１０、引き出し１１）
冷蔵庫１の貯蔵室６内には、棚板１０や引き出し１１が適宜設けられてよい。例えば、図１の例では、上下に三段に棚板１０が設けられており、最下段の棚板１０の下側位置に前後方向にスライド移動可能な引き出し１１が取り付けられている。棚板１０や引き出し１１は、貯蔵室６内に収納された状態で、それぞれその前端を、貯蔵室６の前端よりも奥方側に位置させている。
【００２０】
（野菜室７、冷凍室８）
また、冷蔵庫本体２においては、図１の例に示すように、断熱筐体４の内部空間全体がいくつかに区画されて貯蔵室６のほかに、野菜を冷蔵保存する野菜室７や、被冷凍対象物を冷凍保存する冷凍室８などの区画が形成されてもよい。また、図１の例では、冷蔵庫本体２においては、野菜室７、冷凍室８のそれぞれの部分について、引き出し構造体９が取り付けられており、引き出し構造体９内の空間がそれぞれ野菜室７、冷凍室８の空間を形成している。冷蔵庫１が、野菜室７や冷凍室８を有する場合には、野菜室７や冷凍室８も、冷却機構で冷却されうる。野菜室７や冷凍室８の位置は特に限定されず、図１の例のように、野菜室７のほうが冷凍室８より上側に位置してもよいし、野菜室７のほうが冷凍室８より下側に位置してもよい。
【００２１】
［照明モジュール１２］
冷蔵庫１には、図２，図６などに示すように、貯蔵室６内に照明モジュール１２が取り付けられている。照明モジュール１２は、図３Ａから図３Ｄなどに示すように、光源１３と導光板１４を備えて構成されている。
【００２２】
照明モジュール１２は、導光板１４の短手方向に沿ってのびる少なくとも一方の側面１５に受光面１６を形成している。照明モジュール１２は、光源１３を受光面１６に向かい合わせにして配置している。さらに、照明モジュール１２は、受光面１６から導光板１４に入射された光を導光板１４の表裏面の一方面１８側から出射するように構成されてその一方面１８に発光面１９を形成している。図３Ａの例では、発光面１９は一方面１８のうち破線で囲まれた領域で形成される。発光面１９は、図３Ａの例に示すように導光板１４の表裏面のうちの一方面１８のおおよそ全面で構成されてもよいし、その一方面１８のうちの所定部分に定められた領域で構成されてもよい。なお、導光板１４において、その表裏面のうち発光面１９の形成面となる一方面１８に対する逆面側の面を背面２０と定義する。なお、図３Ａにおいて、背面２０から発光面１９に向かう方向がＺ軸方向となっており、導光板１４の短手方向、長手方向をそれぞれＸ軸方向、Ｙ軸方向に沿った方向としている。Ｘ軸方向、Ｙ軸方向は、図３Ｂについても同様である。
【００２３】
（導光板１４）
照明モジュール１２においては、導光板１４は、帯板状に形成されている。導光板１４は、上述したように、その短手方向に沿ってのびる側面１５、２５のうちの少なくとも一方の側面１５に受光面１６を形成している。導光板１４は、光を効率的に入射可能にする点で、受光面１６に鏡面加工を施されていることが好ましい。
【００２４】
導光板１４の厚みは、適宜選択可能であるが、通常２ｍｍ以上５ｍｍ以下程度の範囲とされることが多い。
【００２５】
（導光板１４の材質）
導光板１４は、樹脂製のシート材で構成されることが好適である。導光板１４を構成するシート材としては、光透過性を有して側面１５や側面２５から入射される光を面方向（発光面１９の広がる方向）に伝播可能な樹脂製シート材であれば特に限定されない。具体的に、導光板を構成するシート材を形成する樹脂組成物としては、スチレン系樹脂、スチレンと（メタ）アクリル化合物の共重合体からなる樹脂、（メタ）アクリル樹脂、ポリカーボネート樹脂などを用いることができる。
【００２６】
ここに、スチレン系樹脂は、所定の単量体化合物の重合体であり、且つ、その単量体化合物にスチレンを含むものである。（メタ）アクリル樹脂については、（メタ）アクリル化合物の重合体から構成される樹脂を示しており、アクリル樹脂又はメタクリル樹脂を示す。ここに、（メタ）アクリル化合物は、（メタ）アクリロイル基を官能基に有する化合物を示しており、アクリル化合物又はメタクリル化合物を示す。なお、（メタ）アクリロイル基については、アクリル基又はメタクリル基を示す。
【００２７】
導光板１４は、湿度による寸法変化をできるだけ抑制する観点では、（メタ）アクリル樹脂で構成されるシート材よりも、スチレン系樹脂またはスチレンと（メタ）アクリル化合物の共重合体からなる樹脂で構成されるシート材を用いられることが好ましい。
【００２８】
導光板１４を構成するシート材には、適宜、添加剤が含まれてもよい。添加剤としては、酸化防止剤、紫外線吸収剤などを具体的に挙げることができる。
【００２９】
（反射構造２１）
導光板１４には、背面２０側を向いた面の所定領域（反射構造形成領域）に反射構造２１が形成される。反射構造形成領域は、特に限定されず、導光板１４を取り付けられる冷蔵庫１の規格に応じて適宜設定されてよい。図３Ｂの例では、反射構造形成領域は概ね矩形状の領域に設定され、反射構造形成領域の輪郭に沿って凹部２２が配置されるとともに、輪郭に沿って並ぶ凹部２２よりも反射構造形成領域の内側所定位置にも凹部２２がさらに配置されている。
【００３０】
反射構造２１は、導光板１４の厚み方向に対して交差する方向に導光板１４内を伝播する光のうち背面２０側に向かう光を反射可能に構成された構造部であれば、特に限定されるものではない。反射構造２１としては、たとえば、図３Ｂに示すような凹部群２３が例示される。
【００３１】
反射構造２１が、凹部群２３で構成される場合について更に説明する。凹部群２３は、多数の凹部２２を所定の配置パターンに形成して構成される。なお、凹部群２３を構成する凹部２２の配置パターンは、特に限定されるものではないが、図３Ｂに一例として示される凹部群２３は、反射構造２１の平面視上、各凹部２２を導光板１４の短手方向（Ｘ軸方向）に配置してなる凹部列２４を、導光板１４の長手方向（Ｙ軸方向）に間隔をあけて多数配列してなり、全体として縦横格子状となるように凹部２２を配置してなるパターンにて形成されている。凹部群２３は、各凹部２２の形状を特に限定されるものではなく、多数の凹部２２を互いに同形状に形成されていてもよいし、多数の凹部２２として異なる形状に形成されたものを含んで構成されてもよい。図３Ｂ、図３Ｃの例では、凹部２２は、導光板１４の平面視上、ドット状に形成されている。
【００３２】
隣り合う凹部列２４、２４間の配列間隔は適宜設定可能である。図３の例では、隣り合う凹部列２４、２４間の配列間隔は、受光面１６に対してより近い位置にある凹部列２４、２４間の配列間隔（Ｓ１）と、受光面１６とは逆端側の側面２５に対してより近い位置にある凹部列２４、２４間の配列間隔（Ｓ２）とを比較した場合に、Ｓ１のほうがＳ２よりも長くなるように形成されている。ここに、反射構造形成領域のうち、隣り合う凹部列２４、２４間の配列間隔の大きいエリアよりも、隣り合う凹部列２４、２４間の配列間隔の短いエリアよりのほうが、反射構造２１まで伝播した光のうち発光面２２にむけられる光の割合を大きくすることができる。このような反射構造８によれば、発光面１９の輝度分布を必要に応じて効率的に調整することができ、また発光面１９に沿って受光面１６からより離れた部分でも発光面１９の輝度を確保することが容易となる。なお、凹部列２４、２４間の配列間隔は、次のように特定される。それぞれの凹部列２４においてそれを構成する凹部２２の中心を結ぶ線（凹部列中心線）を想定し、隣り合う凹部列２４、２４についての凹部列中心線の離間距離を特定することで、凹部列２４、２４間の配列間隔が特定される。
【００３３】
上述のように導光板１において受光面２１が１つである場合には、隣り合う凹部列２４、２４間の配列間隔は、受光面１６の形成された側端１５面に近い位置にある凹部列２４、２４間の配列間隔が受光面１６とは逆端側の端２５面に近い位置にある凹部列２４、２４間の配列間隔よりも大きく設定されていることが好適である。また、後述するが、導光板１においては、受光面１６が複数存在してもよい。例えば、図１０Ａ、図１０Ｂに示すように側端２５面にも受光面１６が形成されてもよい。この場合には、隣り合う凹部列２４、２４間の配列間隔は、発光面１９の中央位置（図１０Ａにおいて位置Ｃ）の輝度が、それよりも受光面１６寄りの所定位置（図１０Ａにおいて位置Ｋ）の輝度以下となるように構成することが容易となる。また、この場合、発光面１９の輝度分布の調整は、それぞれの受光面１６，１６の形成された側面１５，２５に近い位置にある凹部列２４、２４間の配列間隔と受光面１６，１６の形成された側面１５，２５の両方に対して遠い位置にある凹部列２４、２４間の配列間隔を調整することで実現可能である。なお、図１０Ａの一例では、導光板１４の一方面１８において、発光面１９をなす領域は、図３Ａと同様に、破線で囲まれた領域で形成されている。このことは、図９Ａについても同様である。また、図４Ａ，図４Ｂ，図４Ｃ、図５、図１０Ｂでは、説明の便宜上、発光面１９をなす領域を示す破線を省略している。
【００３４】
（反射構造２１の形成）
上記したような反射構造２１は、公知の適宜方法を適宜用いて凹状の構造部分を所定のパターンにて多数形成することで導光板１４に形成可能である。具体的には、反射構造２１は、背面２０側にレーザーを照射して凹部２２を多数パターン形成することによって形成することができる。
【００３５】
（凹部２２）
凹部２２の形状は、上記したように特に限定されずに適宜選択可能であり、上記したようなドット状のほか、線状、曲線状に形成されてもよい。また、ドット状に形成されている場合においても、円状、三角形状、矩形状、五角形以上の多角形状、面取り矩形状など、適宜選択可能である。
【００３６】
個々の凹部２２の深さや面積は、受光面１６から入射される光量や、導光板１４の寸法、発光面１９から出射させようとする光量などの諸条件に応じて適宜選択可能である。
【００３７】
なお、反射構造８において、凹部２２の寸法のうち導光板１４の幅方向（短手方向）に沿った寸法（幅寸法）は、受光面１６に対してより近い位置にある凹部２２の幅寸法（Ｗ１）と、受光面１６とは逆端側の側面２５に対してより近い位置にある凹部２２の幅寸法（Ｗ２）とを比較した場合に、Ｗ２のほうがＷ１よりも長くなるように形成されていることが好適である。このような反射構造８によれば、発光面１９の輝度分布を必要に応じて効率的に調整することができ、また受光面１６から遠い部分でも輝度を確保することが容易となる。
【００３８】
凹部２２のパターン形成に使用されるレーザーは、背面２０側に凹部２２を形成可能なエネルギーを有するものであれば特に限定されるものではないが、レーザーの照射エネルギーの安定性や高出力なパルス波を得ることが容易に可能である点で、ＣＯ２レーザー（炭酸ガスレーザー）が好ましい。
【００３９】
（反射構造２１の他形態例）
上記では、反射構造２１が凹部群２３で構成されている場合を例として説明したが、反射構造２１は、図３Ｄに示すような背面２０上にパターン形成された光反射パターン層２７で構成されていてもよい。光反射パターン層２７は、所定形状に形成された多数の光反射パターン層形成単位体２８の群にて構成される。光反射パターン層形成単位体２８の形状や配置パターンなどといった形成パターンは、適宜選択可能であり、反射構造２１の平面視上、上記した凹部２２の形成パターンと同様のパターンを選択されてよい。また、光反射パターン層形成単位体２８は、光反射性を有する構造体であれば特に限定されず、酸化チタンなどの白色顔料や銀等の光沢性を有する金属材料をバインダー樹脂などの樹脂材料に適宜含有させてなるペースト組成物の固形化構造体などで構成されてよい。こうした光反射パターン層形成単位体２８の群で構成される光反射パターン層２７は、上記したペースト組成物を用いて背面２０に対してスクリーン印刷などの印刷方法を適宜施すことで、背面２０上に適宜パターン形成することができる。
【００４０】
（光源１３）
光源１３は、光源発光面３０を受光面１６に向き合わせて配置されている。光源１３は、特に限定されるものではないが、図３の例では、複数の発光素子３１を備えた光源部材３２で構成されている。なお、光源１３の光源発光面３０は、受光面１６に接触していてもよいし、光源発光面３０と受光面１６との間に多少の隙間が存在していてもよいが、温度変化や湿度変化にともない導光板１４に若干の寸法変化を生じた場合に導光板１４から光源１３に応力が負荷される虞を抑制できる点では、光源発光面３０と受光面１６との間に僅かな隙間があることが好ましい。
【００４１】
（光源部材３２）
光源部材３２は、複数の発光素子３１と、これらの発光素子３１を固定する固定体３３と、固定体３３に取り付けられて発光素子３１と図示しない外部電源とを電気的に接続する配線（図示せず）と、を備えて構成される。固定体３３は、ベース部３５と封止部３４を備えて構成される。ベース部３５は、樹脂製のベース材で形成されており、ベース部３５上には、発光素子３１と配線が配設される。複数の発光素子３１の配置パターンは適宜選択可能であるが、図３Ｂに示す例では、互いに間隔をあけて横並びに配設されている。封止部３４は、ベース部３５上に配置された発光素子３１及び配線をシリコン樹脂などといったモールディングに使用可能な樹脂などの封止材で被覆し、更にその封止材を固化することで形成される。配線は外部電源と発光素子３１とを電気的に接続可能に配設されており、光源部材３２は、外部電源からの電力印加有無に応じて発光素子３１の点灯、消灯を制御することが可能となるように構成されている。光学部材３２において、封止部３４は光透過性を有して構成されており、発光素子３１から発せられた光は、主に封止部３４の露出面から外部に向けて出射される。このように光源部材３２では、封止部３４の露出面が光源発光面３０を形成する。なお、この例では、光源部材３２は、発光素子３１を固定体３３内にほぼ埋設させた構成を備えることになるが、発光素子３１を外部に露出させた構成を備えるものでもよい。
【００４２】
（発光素子３１）
発光素子３１は、その発光機構を特に限定されないが、白熱球よりも光指向性に優れる点ではＬＥＤ（Ｌｉｇｈｔ  Ｅｍｉｔｔｉｎｇ  Ｄｉｏｄｅ）を好適に採用される。発光素子３１がＬＥＤである場合、発光素子３１が光指向性に優れたものとなることから、小さい寸法のものでも指向性を持つ強い光を発生可能な光源１３を形成することが可能となり、導光板１４の厚みが薄く受光面１６の面積が小さくてもその受光面１６に向けて光を効率的に照射することが容易となる。
【００４３】
（発光面１９側表面（露出面）の加工処理）
導光板１４は、発光面１９側表面の露出面をフラットに形成されてもよいし、露出面に、発光面１９側から外方に出射される光の方向を制御するためのプリズムパターンやレンチキュラーパターンなどを賦形する加工を施されても良く、光を拡散させる構造等を適宜設けて凹凸を形成していてもよい。なお、このような加工処理は、後述するカバー部材５７に対して施されていてもよい。
【００４４】
（反射材３６）
導光板１４には、図３Ａ、図３Ｂ等に示すように、光の利用効率をより向上させる観点から、受光面１６を１つ備えている場合において、その受光面とは逆端側の側面２５に光の反射面を形成可能な反射材３６が設けられていることが好適である。このように反射材３６が導光板１４に設けられていると、受光面１６から入射された光の一部が導光板１４を通過して受光面１６とは逆端側の側面２５から漏れ出ようとする光が存在した場合にも、その光を反射材３６で反射させて再び導光板１内へと向かわせることが可能となり、側面２５から光が漏れる虞をより一層効果的に抑制することができ、光の利用効率をより向上させることができる。
【００４５】
反射材３６は、導光板１４の全周側面のうち受光面１６を形成している領域を除いた領域全体を覆うように設けられていてもよい。具体的に、図３の例のように導光板１４が矩形状に形成され、その一辺に沿ってのびる側面１５の部分に受光面１６が形成されている場合には、残りの３辺に沿った側面を覆うように反射材３６が設けられてよいことになる。反射材３６としては、光反射性を有する樹脂製シート材や金属製シート材などを適宜用いることができ、古河電工株式会社製のＭＣＰＥＴ（商標）などを適宜使用可能である。
【００４６】
（光反射シート３７）
照明モジュール１２には、図４Ａに示すように、導光板１４の背面２０に対して向かい合わせに光反射シート３７が設けられることが好適である。光反射シート３７としては、光反射性を有する樹脂製シート材等を適宜用いられてよく、上記反射材３６と同様に、例えば、古河電工（古河電気工業）株式会社製のＭＣＰＥＴ（商標）、株式会社ツジデン製のＲＦ１８８等を具体的に用いることができる。なお、光反射シート３７は、背面２０にできるだけ当接する又は近くなるように設けられていることが光反射シート３７と背面２０との隙間から光が漏れだす虞を効果的に抑制できる点では、好適である。
【００４７】
（放熱板３８）
照明モジュール１２は、図４Ｂに示すように、導光板１４の表裏面のうち発光面１９とは逆面側の最外側に放熱板３８を配置されていることが好適である。照明モジュール１２が放熱板３８を備えることで、光源１３などで生じうる熱が放熱板３８に伝えられやすくなり、光源１３の温度上昇を抑制することができる。
【００４８】
放熱板３８は、特に限定されないが、熱拡散性と剛性に優れる点で金属板であることが好ましい。放熱板３８を構成する金属板としては、アルミニウム板などを例示することができる。
【００４９】
照明モジュール１２においては、放熱板３８に光源１３が固定されていることが好ましい。この場合、光源１３で生じる熱を放熱板３８に伝えやすくすることが可能となり、発光素子３１や配線で生じた熱等による光源１３の温度上昇をより一層効果的に抑制することができるようになる。
【００５０】
光源１３を放熱板３８に固定する方法としては、接着剤などで接着固定する方法や固定用の部材などで固定する方法などを適宜用いることができる。
【００５１】
また、照明モジュール１２が放熱板３８を備える場合、導光板１４は、放熱板３８に対して固定されていることが好ましい。導光板１４が放熱板３８に固定されると、導光板１４に力が加えられた場合に導光板１４が必要以上に撓みを生じる虞が抑制される。
【００５２】
導光板１４を放熱板３８に固定する方法としては、接着剤などで固定する方法や、図９Ａ、図９Ｂに示すように導光板固定部材３９を用いて固定する方法などを具体的に用いることができる。なお、図９の例では、導光板固定部材３９は、導光板１４の形状に応じた形状（図９の例ではコ字状）に形成された押さえ部４０と、その押さえ部４０の端部を延出して形成された固定部４１を備えている。固定部４１には、ビスなどの固定材を通じることの可能な通孔が形成されている。そして、導光板１４の外表面側から押さえ部４０をあてがい、固定部４１に形成された孔に固定材が通される。放熱板３８には固定部４１の通孔に向かい合う位置に孔が穿かれており、その孔にも固定材が通される。こうして、導光板１４が放熱板３８に固定される。導光板固定部材３９の材質は、特に限定されず、樹脂製、金属製など適宜選択可能である。なお、導光板固定部材３９が、可視光線を通さないものである場合においては、導光板１４の一方面１８のうち導光板固定部材３９で隠される部分は、発光面１９の形成領域から外れることとなる。図９Ａの例では、発光面１９は、破線で囲まれた領域となっている。
【００５３】
（放熱板３８の形状）
放熱板３８の形状は特に限定されない。放熱板３８は、平らな一枚板で構成されてよい。また、放熱板３８は、図４Ｂ，図４Ｃ，図５，図９などに示すように帯板状の平板部４２を備えて構成されて、その平板部４２の短手方向に沿って延びる側端部から立ち上がるように延出壁部４３を延出形成されてもよい。そして、この例では、光源１３は、その光源発光面３０を延出壁部４３との非対向面とするように配置され、延出壁部４３に固定される。
【００５４】
また、図４において、放熱板３８は、平板部４２の短手方向の長さが導光板１４の短手方向の長さよりも長くなっており、放熱板３８に対して導光板１４を配置した場合に導光板１４からはみだす部分（非対向部）を生じるように構成されている。そしてその非対向部において、所定の位置に通孔４４が形成されている。この通孔４４は、図６Ｂ、図１３などを用いて後述するカバー部材５７や断熱筐体４に放熱板３８をビスなどの固定材６３で固定する際の固定材６３を貫通可能な孔をなす。
【００５５】
（緩衝材４５）
照明モジュール１２が、導光板１４の短手方向に沿ってのびる一方側面１５に受光面１６を形成している場合において、照明モジュール１２は、図５に示すように一方側面１５に対する逆端側の側面２５に反射材３６と緩衝材４５をこの順に設けられていてもよい。この緩衝材４５を、側面緩衝材と呼ぶことがある。この場合において、さらに照明モジュール１２が、放熱板３８を備える場合には、緩衝材４５の露出面側を覆うように延出壁部４３が形成されていることが好適である。このとき、緩衝材４５は、それに向かい合う延出壁部４３に非接触でもよいが、その延出壁部４３に接触していることが導光板１４の配置位置をより安定させる点で好ましい。ところで、後述するように導光板１４がその長手方向に寸法変化を生じた際、緩衝材４５が導光板１４の長手方向外向きに応力を受けやすい。この点、緩衝材４５の露出面側を覆うように延出壁部４３が形成されていると、導光板１４の長手方向外向きにかかる応力を緩衝材４５で効率的に受け止めることができる。
【００５６】
なお、側面緩衝材４５は、緩衝性を有する部材であれば特に限定されるものではなく、シリコン、ウレタンなどの材料群から選択された材料を用いて形成された緩衝性部材を適宜採用可能である。
【００５７】
ここで、照明モジュール１２は、冷蔵庫１に取り付けられる。冷蔵庫１に収納される収納物には、様々な物があり、水分を多く含む食品なども存在する。すると、冷蔵庫１内においては湿度が様々に繰り返し変化する可能性が高くなる。つまり、照明モジュール１２を構成する導光板１４は貯蔵室６内の湿度の影響を受けて寸法変化を繰り返し生じる可能性がある。そして、導光板１４の寸法変化の繰り返しが続くと、導光板１４と光源１３との相対的な位置関係にずれが生じやすくなり、光源１３から生じた光の一部が導光板１４の受光面１６から外れる可能性が生じやすくなる。この点、照明モジュール１２に側面緩衝材４５が備えられることで、導光板１４の寸法変化の繰り返しが続いても、側面緩衝材４５により導光板１４と光源１３との相対的な位置関係を維持することが容易となる。
【００５８】
（位置調整シート４６）
照明モジュール１２は、その導光板１４の背面２０側に光反射シート３７と放熱板３８を設ける場合において、図４Ｃに示すように、光反射シート３７と放熱板３８との間に位置調整シート４６を設けられていてもよい。位置調整シート４６は、絶縁性を有するシート材で構成される。照明モジュール１２が位置調整シート４６を備えることで、導光板１４の受光面１６と光源１３とをより確実に向かい合わせの位置関係にすることが可能となる。
【００５９】
（照明モジュール１２の受光面１６の形成数）
図３などでは、照明モジュール１２として、受光面１６を１つ形成した場合について例示したがこれに限定されない。例えば、図１０Ａに例示するように、照明モジュール１２は、導光板１４の短手方向に沿ってのびる両側面１５，２５それぞれに受光面１６，１６が形成されてよい。この場合、導光板１４は、２つの受光面１６，１６が形成される。そして、照明モジュール１２は、２つの受光面１６，１６それぞれに向かい合わせに光源１３，１３を配置される。この場合、２つの受光面１６，１６の両方から光を導光板１４に入射させることができ、発光面１９におけるそれぞれの受光面１６寄りの所定位置Ｋの輝度を中央位置Ｃの輝度よりも効果的に向上させることが容易となる。なお、照明モジュール１２として、図１０Ｂに示すように、２つの受光面１６、１６が形成される場合においても放熱板３８が設けられてよい。
【００６０】
（スペーサー７４）
照明モジュール１２には、図１５Ａ，図１５Ｂ，図１６Ａ，図１６Ｂに示すように、光源１３のまわりの所定位置などといった光源１３のそばにスペーサー７４が設けられていてもよい。スペーサー７４は、金属製、樹脂製など、所定の硬さを備えるものであれば、特に材質を限定されるものではない。また、スペーサー７４は、緩衝性の有無を特に限定されるものではない。スペーサー７４は、その形状を特に限定されないが、放熱板３８の所定位置から受光面１６に向かう方向に突出するように配置固定されて構成される。図１５、１６の例では、スペーサー７４は、放熱板３８の延出壁部４３から、受光面１６に向かう方向に突出するように配置固定されて構成される。スペーサー７４の突出先端は、光源１３の光源発光面３０よりも、受光面１６に向かって突出した位置に存在している。また、照明モジュール１２が、導光板１４の長手方向両方の側面１５，２５それぞれに受光面１６，１６を形成している場合には、図１６Ａ，図１６Ｂに示すように、スペーサー７４は、側面１５，２５の受光面１６，１６に向きあう光源１３，１３それぞれのそばに設けられていることが好ましい。照明モジュール１２にスペーサー７４が設けられていると、貯蔵室６内の温度や湿度の変化などの影響で導光板１４の長手方向に沿った導光板１４の寸法に変化を生じた場合に、導光板１４が光源１３に接触する前にスペーサー７４に接触するようになり、光源１３と受光面１６との間にスペースを形成した状態を維持することができ、導光板１４が光源１３に強く接触してしまう虞を抑制することができる。
【００６１】
冷蔵庫１において、照明モジュール１２が貯蔵室６内の内側壁５０に取りつけられる場合においては冷蔵庫１の上下方向（図１５Ａ，図１６Ａにおいて矢印Ｑ方向）に導光板１４よりも上側及び／または下側にスペーサー７４が位置することになるが、そのような場合には、導光板１４よりも下側に位置するスペーサー７４がより硬質なもので形成されたものであることが、好ましい。また、その場合においては、導光板１４よりも下側に位置するスペーサー７４に対してその突端側から導光板１４の重量が負荷されてもスペーサー７４の形状が保持できる程度に、スペーサー７４が硬質に形成されていることが好適である。このように導光板１４よりも下側に位置するスペーサー７４が硬質に形成されていると、導光板１４がその自重で光源１３側へ位置ずれを生じたとしてもスペーサー７４で導光板１４を受け止めて導光板１４から光源１３に対して過剰な応力が負荷される虞を抑制することができるようになる。
【００６２】
［照明モジュール１２における発光面１９］
照明モジュール１２は、受光面１６から導光板１４に光を入射した場合に発光面１９における輝度分布を適宜設定されてよいが、受光面１６から導光板１４に光を入射した場合に発光面１９における受光面１６寄りの所定位置の輝度が発光面１９の中央位置の輝度以上であるように構成されていることが好ましい。このような構成（受光面側高輝度構成）は、反射構造２１の形成パターン、受光面１６の形成数と位置などを調整することで具体的に実現できる。
【００６３】
例えば、受光面側高輝度構成は、反射構造２１が凹部群２３で形成され、且つ、多数の凹部列２４で凹部群２３が構成されている場合においては、次の例に示すように実現できる。まず、背面２０を導光板１４の長手方向に沿った方向に面順次に並ぶように３つの領域に等分区画し、発光面１９の中央位置Ｃに対する真裏位置を含む所定の領域を除く他の領域について、導光板１４の長手方向に隣り合って並ぶ凹部列の配列間隔が、受光面１６から離れるほど狭くなるように設定される。一方、発光面１９の中央位置Ｃに対する真裏位置を含む所定の領域については、隣り合う凹部列の配列間隔が、発光面１９の中央位置Ｃに対する真裏位置に近づくほど広くなるように設定する。このように凹部列間の配列間隔を設定して、凹部列を配して凹部群を形成することで、発光面１９の中央位置よりも発光面１９における受光面１６寄りの所定位置のほうで輝度の高い状態を形成することが容易となる。
【００６４】
また、照明モジュール１２が、受光面１６を導光板１４の側面１５，２５に形成していると、発光面１９におけるそれぞれの受光面１６寄りの所定位置における輝度を発光面１９の中央位置よりも高くされた状態となすことがより容易となる。
【００６５】
（発光面１９の中央位置）
発光面１９の中央位置とは、発光面１９を導光板１４の長手方向に沿った方向に２等分する直線ｎ上の位置且つ導光板１４の短手方向に沿った方向に２等分する直線ｍ上の位置（図３、図１０において位置Ｃ）に特定される。
【００６６】
（発光面１９における受光面１６寄りの所定位置）
発光面１９における受光面１６寄りの所定位置とは、導光板１４の平面視上、発光面１９の中央位置Ｃよりも受光面１６側に寄った位置として設定された位置（図３、１０において位置Ｋ）を示す。より詳しくは、発光面１９における受光面１６寄りの所定位置とは、位置Ｃを通って発光面１９を２等分する直線ｍ上にある位置であり、直線ｍと発光面１９の輪郭との交点のうち受光面１６に近いほうの位置である。発光面１９における受光面１６寄りの所定位置は、受光面１６に応じて特定され、１つの受光面１６に対して１つ特定される。２つの受光面１６，１６が、互いに逆端位置となる側面１５，２５に形成されている場合には、それぞれの受光面１６，１６について特定される。この場合には、直線ｍ上にある位置であり、直線ｍと発光面１９の輪郭との交点として特定される２つの位置のうちの一方の位置が、受光面１６，１６のうちの一方についての受光面１６寄りの所定位置となり、他方の位置が、他方についての受光面１６寄りの所定位置となる。
【００６７】
［発光面１９における表面輝度比］
照明モジュール１２においては、既述したように受光面１６から導光板１４に光を入射した場合に発光面１９における受光面１６寄りの所定位置Ｋの輝度（ＢＫ）が発光面１９の中央位置Ｃの輝度（ＢＣ）以上であることが好ましいが、輝度ＢＫが輝度ＢＣを越えることがより好ましい。この場合、照明モジュール１２を取り付けられた冷蔵庫１の貯蔵室６内空間において、中央部などの非角隅部の照度と貯蔵室６内の角隅部の照度のバランスをよくして、貯蔵室６内の空間をより均一に明るくすることができる。なお、貯蔵室６の角隅部は、貯蔵室６の内面のうち、貯蔵室６の内側壁５０と奥壁７３の境界に当る部分、奥壁７３と天井部７０の境界７２にあたる部分、奥壁７３と底部の境界、天井部７０と内側壁５０との境界７１に当る部分、底部と内側壁５０との境界に当る部分とで構成され、図１１の例では例えば境界部Ｐｄｉで示されるような部分である。貯蔵室６の非角隅部は、貯蔵室６内部にあって角隅部を除く部分であり、中央部Ｐｃｅを含む部分である。
【００６８】
境界部Ｐｄｉが内側壁５０と奥壁７３との境界に対応した部分である場合において、内側壁５０と奥壁７３との境界が屈曲部をなしている場合には、その屈曲部を境界部Ｐｄｉとする（図示せず）。また、図１１、図１４Ａ、図１４Ｂに示すように、内側壁５０と奥壁７３とが端縁近傍で湾曲して内側壁５０と奥壁７３とがややなだらかに境界を接して凹状に湾曲した湾曲部を形成している場合には、湾曲部の中央に境界部Ｐｄｉを定められる。このように境界部Ｐｄｉを定められることは、境界部Ｐｄｉが、奥壁７３と天井部７０の境界７２にあたる部分、奥壁と底部の境界、天井部７０と内側壁５０との境界７１に当る部分、底部と内側壁５０との境界に当る部分である場合のいずれの場合についても、同様である。また、中央部Ｐｃｅは、貯蔵室６の上下左右前後方向中央部分に定められる。なお、図１１では、説明の便宜上、境界部Ｐｄｉについて、奥壁７３と底部の境界にあたる部分の図示を省略し、図１４では、説明の便宜上、境界部Ｐｄｉについて、奥壁７３と底部の境界、底部と内側壁５０との境界にあたる部分の図示を省略する。
【００６９】
［冷蔵庫１への照明モジュール１２の取り付け］
冷蔵庫１には、貯蔵室６内に上記したような照明モジュール１２が取り付けられる。このとき、照明モジュール１２は、貯蔵室６内の内面の所定位置に配置される。貯蔵室６内の内面は、天面を形成する天井部７０、内側面を形成する内側壁５０、奥面を形成する奥壁７３、底面を形成する底部で形成される。したがって、照明モジュール１２は、図１４Ａ，図１４Ｂに示すように貯蔵室６内の天井部７０に配置されてよいし、図１等に示すように貯蔵室６内の内側壁５０に配置されてよく、貯蔵室６内の奥壁７３に配置されてよい。また、照明モジュール１２は、奥壁７３と内側壁５０との境界の位置に、その境界に沿う方向が導光板１４の長手方向に揃うように配置されてもよい（図示しない）。ただし、貯蔵室６内の角隅部と非角隅部をバランスよく照らして、貯蔵室６内の空間全体をより均一に照らす効果を効果的に得る点では、照明モジュール１２は、貯蔵室６内の天井部７０及び／又は貯蔵室６内の内側壁５０に配置されていることが好ましい。また、貯蔵室６内の空間全体をより均一に照らす効果をより一層向上させる点では、照明モジュール１２は、少なくとも貯蔵室６内の内側壁５０に配置されていることがより好ましい。なお、図１４において、符号７１は、天井部７０と内側壁５０との境界を示し、この境界は天井部７０の周縁の一部を構成し、また、内側壁５０の周縁の一部を構成する。符号７２は、天井部７０と奥壁７３との境界を示し、この境界は天井部７０の周縁の一部を構成し、また、奥壁７３の周縁の一部を構成する。
【００７０】
また、照明モジュール１２は、発光面１９が貯蔵室６内部側を向くとともに、導光板１４の長手方向が冷蔵庫１の貯蔵室６の奥行き方向に対して交差するように配置されている。照明モジュール１２がこのように取り付けられていると、発光面１９における受光面１６寄りの所定位置が、貯蔵室６内の角隅部により近い位置となりやすくなり、貯蔵室６内の内側周面の角隅部（図１１においては例えば境界部Ｐｄｉ）の照度を確保することが容易となる。また、一般に、冷蔵庫１においては、貯蔵室内６の奥側ほど収納物が収納される可能性が高い。すると、仮に、導光板１４の長手方向と冷蔵庫１の貯蔵室６の奥行き方向とが互いに揃うように照明モジュール１２が配置されていると、照明モジュール１２のうち貯蔵室内６の奥側に位置する部分は収納物で塞がれた状態となりやすくなり、照明モジュール１２からの光が貯蔵室６内に入りこみにくくなる問題を生じやすくなる。この点、照明モジュール１２は、発光面１９が貯蔵室６内部側を向くとともに、導光板１４の長手方向が冷蔵庫１の貯蔵室６の奥行き方向に対して交差するように配置されていることから、そのような問題も抑制される。
【００７１】
照明モジュール１２の取り付け形態は、図１３に示すような形態であってよいし、後述するように照明モジュール１２をカバー部材５７に固定してカバー部材５７を貯蔵室６に取り付けることで照明モジュール１２を貯蔵室６内に取り付ける形態であってもよい。図１３は、冷蔵庫１が照明モジュール１２を貯蔵室６内の内面の所定位置に直接接するように取り付けられている場合についての一実施例において、図２のＡ−Ａ線断面に対応する断面の概略状態を模式的に示す図である。なお、図１３の例では、放熱板３８の通孔４４に固定材６３を通じて、照明モジュール１２が固定材６３にて没入部５５の底部５６に取り付け固定されている。
【００７２】
上述したように、冷蔵庫１には、貯蔵室６内に棚板１０や引き出し１１などが設けられてよい。このように棚板１０を有する冷蔵庫１においては、図１，図２に示すように、照明モジュール１２は、冷蔵庫１の側面視上、棚板１０の前端５１よりも前方側にあって貯蔵室６内の内面の前端５２よりも後方側の所定位置に取り付けられていることが好ましい。このような所定位置に照明モジュール１２が取り付けられている場合、照明モジュール１２から貯蔵室６内に向けられた光が貯蔵室６内に入った段階で棚板１０で遮られてしまうという虞を抑制することができる。なお、冷蔵庫１の側面視上とは、冷蔵庫１の一方の内側壁５０から他方の内側壁５０に向かう方向を視線方向とした場合を示す。
【００７３】
（照明モジュール１２の設置位置と形態の好ましい形態）
照明モジュール１２は、貯蔵室６内の内側壁５０の所定位置に、導光板１４の短手方向（図６において、矢印Ｗ）と冷蔵庫１の上下方向（図６において、矢印Ｑ）とが交差する（非平行となる）ように位置決めされて、取り付けられている。すると、発光面１９のうち受光面１６に近い所定位置を、より貯蔵室６の上下方向中央位置よりも上下端側に位置させることが容易となり、より効果的に貯蔵室６の上下端側の角隅部の照度も確保することができるようになる。また、貯蔵室６の内面所定位置に複数の点状光源を上下方向に並設した光源群や複数の線状光源を上下方向に並設した光源群で貯蔵室６内を照らす場合には、貯蔵室６内の空間において並設方向となる上下方向に照度のばらつき（上下照度むら）が生じる虞があるが、照明モジュール１２は、光源１３の屈折光を導光板１４の発光面１９という面全体から外方向に出射させることから、上下照度むらが生じる虞を抑制することが容易となる。
【００７４】
貯蔵室６の上下端側の角隅部を明るくする効果をより効率的に実現する観点では、照明モジュール１２は、導光板１４の長手方向が冷蔵庫１の上下方向に一致するように取り付けられていることが好ましい。そして、このように取り付けられている照明モジュール１２が、導光板１４の短手方向に沿った両側面１５，２５のそれぞれに受光面１６，１６を形成し、それぞれの受光面１６，１６に向かい合わせに光源１３，１３を配置している場合には、貯蔵室６の上下端側のいずれの空間についてもより確実に明るくすることができる。
【００７５】
（照明モジュール１２の光源１３の位置）
冷蔵庫１に取り付けられる照明モジュール１２が受光面１６を側面１５側に１つ形成している場合における照明モジュール１２の光源１３の位置につき、光源１３は冷蔵庫１の上下方向において受光面１６よりも上側と下側のいずれに位置してもよいが、光源１３が冷蔵庫１の上下方向において受光面１６よりも下側に位置することが好ましい。光源１３が冷蔵庫１の上下方向において受光面１６よりも下側に位置していると、照明モジュール１２が導光板１４の自重で下方向に導光板１４の位置ずれを生じて光源１３と受光面１６との間隔が広がってしまうという状態が、生じにくくなる。
【００７６】
（照明モジュール１２の設置数）
照明モジュール１２が貯蔵室６内の内側壁５０に取り付けられている場合においては、照明モジュール１２は、貯蔵室６内の左右両方の内側壁５０，５０のうち少なくとも一方の内側壁５０の所定位置に取り付けられていればよいが、貯蔵室６内の左右両方の内側壁５０，５０それぞれの所定位置に取り付けられていることが好ましい。左右両方の内側壁５０，５０に取り付けられていると、貯蔵室６内部の空間における左右両側の空間の照度バランスを、より一層向上させることができる。
【００７７】
（照明モジュール１２の光源１３と発光面１９の向き）
冷蔵庫１においては、照明モジュール１２に備えられた光源１３はその光源発光面３０を受光面１６に向けて配置されていることから、光源１３から発せられた光は受光面１６に向けられ導光板１４に入射して入射光となる。次に、少なくとも一部の入射光は導光板１４内を伝播し適宜の位置で反射して反射光となり、反射光の少なくとも一部は発光面１９側に向けられる。その後、冷蔵庫１においては、反射光は、発光面１９から出て出射光となり、その出射光は貯蔵室６内部側に向かい、貯蔵室６内の空間を照らす。図６Ａに示すように、発光面１９は導光板１４の長手方向に伸びており、出射光は、冷蔵庫１の貯蔵室６内をおおよそ全体的に照らしうる。
【００７８】
冷蔵庫１においては、照明モジュール１２の発光面１９は、貯蔵室６内の前後方向（奥行き方向）に対して斜めに且つ貯蔵室６内の奥方側に向けられていることが好ましい。照明モジュール１２の発光面１９が貯蔵室６内の前後方向（奥行き方向）に対して斜めになっているとは、発光面１９の法線方向が貯蔵室６の奥行き方向に対して斜めに交差することを示す。このような冷蔵庫１によれば、上記したような発光面１９から出射した反射光が貯蔵室６奥方（矢印Ｆ方向）に向かいやすくなり、貯蔵室６の奥方側の空間をより効果的に明るくすることができる。これは、図８Ｂに示すように、例えば、後述の放熱板保持部６４による保持部６６の位置を調整することで具体的に実現可能である。図８Ｂの例では、放熱板保持部６４を構成する放熱板固定脚６５、６５のうち貯蔵室６の奥方側にある放熱板固定脚６５の保持部６６が、貯蔵室６の前方側にある放熱板固定脚６５の保持部６６よりも、没入部５５の底部５６側に近くなるように構成されている。
【００７９】
（没入部５５）
冷蔵庫１には、図６から図８Ａ、図８Ｂ、図１２Ａ、図１２Ｂ、図１２Ｃ、図１４Ａ，図１４Ｂなどの例に示すように、照明モジュール１２を収容可能な没入部５５が形成されていることが好ましい。没入部５５は、貯蔵室６内の内面の所定位置を凹状形状とすることで形成される。これは、例えば、内装体４８として、没入部５５に対応する部分に没入部５５の形状に対応する形状を賦形した成形体が用いられることで具体的に実現できる。図６から図８Ａ、図８Ｂ、図１２では、没入部５５は内側壁５０に形成されており、図１４Ａ，図１４Ｂでは、没入部５５は天井部７０に形成される。そして、その没入部５５内には、照明モジュール１２が収容される。このような没入部５５が形成されると、貯蔵室６内側に飛び出した位置に照明モジュール１２が配置される状態が形成されてしまうことを避けることができる。すると、貯蔵室６から収納物を出す際や貯蔵室６に収納物を入れる際に照明モジュール１２がその収納物とぶつかって収納物や照明モジュール１２に破損が生じてしまう虞を抑制することができる。なお、図１２Ａ、図１２Ｂ、図１２Ｃ、図１４においては、説明の便宜上、外装体４７、内装体４８、断熱材４９についての構成の記載を省略している。
【００８０】
冷蔵庫１が照明モジュール１２に後述するカバー部材５７を取り付けられている場合においては、没入部５５は、カバー部材５７をはめ付け可能な形状に形成されていることが好適である。この場合、カバー部材５７を没入部５５にしっかりと取り付け固定することが可能となる。カバー部材５７を没入部５５にはめ付けることは、カバー部材５７の外輪郭形状と没入部５５の縁部形状とをそれぞれ互いに整合させた形状とし、カバー部材５７と没入部５５とを係止させる係止構造を備えることで実現できる。
【００８１】
たとえば、図７、図１２などの例では、没入部５５の開口形状がカバー部材５７の外周縁形状に整合させた略長方形状に形成される。さらに、カバー部材５７には外向きに隆起した係止爪５８を有する係止部５９が立設形成されており、没入部５５の所定位置には、係止爪５８を受けて係止部５９を係止可能に構成された受け溝６０が形成されている。この場合、カバー部材５７と没入部５５とを係止させる係止構造は、係止爪５８を受け溝６０にはめ込むことで形成されうる。なお、図７の例では、係止部５９は、カバー部材５７の長手方向の両端縁（長手方向に互いに逆端位置にある端縁）から立設形成されており、受け溝６０は、没入部５５の上下方向に向かい合う内側面に形成されている。図１２の例では、係止部５９は、カバー部材５７の短手方向の両端縁からやや内側の位置から立設形成されており、受け溝６０は、没入部５５の幅方向に向かい合う両側面（没入部５５の長手方向にのびる両側面）に形成されている。
【００８２】
また、冷蔵庫１は、図１２の例に示すように、没入部５５には縁部の少なくとも一部に段部６１を設けて、その段部６１にカバー部材５７の外周縁部の少なくとも一部を向かい合わせにすることができるように構成されていてもよい。この場合、カバー部材５７が没入部５５内の底部５６側に過剰に入り込む虞をより効率的に実現することができる。
【００８３】
（カバー部材５７）
冷蔵庫１には、図１、図２、図６から図８、図１２などの例に示すように、照明モジュール１２の発光面１９を覆うように光透過性を有するカバー部材５７が取り付けられていることが好適である。カバー部材５７が設けられていると、貯蔵室６内の収納物が照明モジュール１２に直接接して照明モジュール１２に破損や汚れが生じてしまう虞を抑制することができる。カバー部材５７は、光透過性を有するものであれば特に限定されるものではなく、樹脂製であることが好ましい。
【００８４】
また、冷蔵庫１がカバー部材５７を備えている場合、照明モジュール１２は、カバー部材５７に固定されていることが好ましい。照明モジュール１２がカバー部材５７に固定されていると、照明モジュール１２をカバー部材５７に固定してなる照明ユニットが形成され、その照明ユニットが冷蔵庫１に取り付けられることで、照明ユニットにおけるカバー部材５７を冷蔵庫１に係止固定する作業工程をより容易にするという作業性向上効果を得ることができる。
【００８５】
（カバー部材５７に対する照明モジュール１２の固定）
カバー部材５７に対する照明モジュール１２の固定構造は、特に限定されるものではない。図６，図７の例では、照明モジュール１２の放熱板３８に通孔４４が形成されており、カバー部材５７には通孔４４に向かい合うような位置にボス部６２が設けられている。カバー部材５７に照明モジュール１２を固定するにあたっては、通孔４４とボス部６２とが互いに向かい合わせになるようにカバー部材５７と照明モジュール１２とを互いに位置決めし、通孔４４側からボス部６２に向かってネジなどの固定材６３を通じる。こうして、カバー部材５７に対する照明モジュール１２の固定構造が形成される。
【００８６】
（放熱板固定部６４）
照明モジュール１２が放熱板３８を備える場合、カバー部材５７に対する照明モジュール１２の固定は、カバー部材５７に放熱板固定部６４を設けることで実現されてもよい。すなわち、図８Ａ，図８Ｂ、図１２Ａから図１２Ｃに示すように、冷蔵庫１においては、カバー部材５７の所定位置に放熱板固定部６４が形成されており、カバー部材５７が、放熱板固定部６４で照明モジュール１２の放熱板３８を挟持してもよい。放熱板固定部６４は、向かい合う１組の放熱板固定脚６５，６５から構成されている。カバー部材５７には、少なくとも１組の放熱板固定脚６５，６５が形成されていればよいが、放熱板固定脚６５，６５が２組以上形成されてもよい。放熱板固定脚６５，６５は、カバー部材５７の表裏面のうち照明モジュール１２に向かい合うほうの面側に、その面内の所定位置から立設形成されている。放熱板固定部６４においては、向かい合う１組の放熱板固定脚６５，６５の間隔は、放熱板３８の短手方向の幅よりもやや短くなっていることが好適である。また、それぞれの放熱板固定脚６５，６５には、所定の位置に溝状の保持部６６が形成されている。このとき、保持部６６の形状は、放熱板３８の端縁を嵌めあわせ可能な形状にされていればよく、例えば、図８の例のように断面曲面形状に形成されてよいし、図１２の例のように断面コ字形状に形成されてもよい。
【００８７】
カバー部材５７に放熱板固定部６４を設けた場合において、カバー部材５７に照明モジュール１２を固定するにあたっては、カバー部材５７の保持部６６に照明モジュール１２の放熱板３８の端縁を合わせることで、カバー部材５７に対して照明モジュール１２が挟みこまれた状態が形成され、カバー部材５７に対して照明モジュール１２が係止固定される。
【００８８】
冷蔵庫１が、このように構成されていると、上記した通孔４４や固定材６３の使用を避けてカバー部材５７に対する照明モジュール１２の固定構造を形成することができ、部品点数の削減を実現することができる。また、固定材６３及び放熱板３８としてそれぞれ異種の金属製の部材が用いられる場合には、固定材６３と放熱板３８とで異種金属の接触による腐食の虞を生じうるところ、固定材６３の使用をさけることができることで、このような虞も抑制される。
【００８９】
カバー部材５７に放熱板固定部６４を設けることは、例えば、カバー部材５７と放熱板固定部６４が樹脂で形成される場合においては、樹脂にてカバー部材５７と放熱板固定部６４とを一体的に成形することで実現することができる。その他にも、カバー部材５７と放熱板固定部６４とを別体にて調製し、カバー部材５７の所定位置に放熱板固定部６４が固着されても、カバー部材５７に放熱板固定部６４を設けた構成が実現できる。
【００９０】
（導光板固定部６７）
冷蔵庫１においては、図１２Ａから図１２Ｃに示すように、カバー部材５７に導光板固定部６７が設けられて、カバー部材５７が、導光板固定部６７で照明モジュール１２の導光板１４を挟持していてもよい。導光板固定部６７の形状は、導光板１４の形状に応じて適宜選択可能である。図１２の例では、導光板固定部６７は導光板１４の形状に整合する挟み部６８を有しており、全体としてコ字型形状を呈して形成されている。またこの例では、カバー部材５７の表裏面のうち照明モジュール１２に向かい合うほうの面側に、カバー部材５７の長手方向に間隔をあけて２つの導光板固定部６７が備えられる。
【００９１】
導光板固定部６７を構成する材料は特に限定されず、樹脂等で形成されてよい。カバー部材５７と導光板固定部６７が樹脂で形成される場合においては、放熱板固定部６４について説明したことと同様に、樹脂にてカバー部材５７と導光板固定部６７とを一体的に成形されてよい。この場合、別体で準備された導光板固定部材３９を用いて導光板１４を固定する必要をなくすることができ、部品点数の削減を実現することができる。ただし、このことは、導光板固定部６７を構成する部材がカバー部材５７とは別体にて調製されることを禁止するものではない。この場合、カバー部材５７の所定位置に導光板固定部６７を構成する部材が固着されることで、カバー部材５７に導光板固定部６７を設けた構成が実現できる。
【００９２】
カバー部材５７に導光板固定部６７を設けた場合においては、カバー部材５７の導光板固定部６７の挟み部６８に照明モジュール１２の導光板１４をはめ込むことで、挟み部６８にて導光板１４が挟みこまれ、カバー部材５７に対して導光板１４が挟持された状態が形成される。
【００９３】
冷蔵庫１がこのように構成されていると、カバー部材５７に対する導光板１４の相対的な位置にずれが生じにくくなり、カバー部材５７に対する発光面１９の相対的な位置関係も安定させることができる。
【００９４】
なお、図１２のカバー部材５７の例では、放熱板固定部６４とともに導光板固定部６７も設けられているが、放熱板固定部６４と導光板固定部６７のいずれか一方のみが形成されていてもよい。
【００９５】
［冷蔵庫１における光の伝播経路］
冷蔵庫１において、照明モジュール１２の光源から生じた光は、次のように伝播して貯蔵室内を照らす。
【００９６】
照明モジュール１２において、図３Ａ、図７に示すように光源１３から照射された光（光源出射光）が導光板１４の受光面１６に向かう。図７の例では、光源出射光は、おおよそ冷蔵庫１の上下方向に沿った方向に進行する。光源出射光は、導光板１４の受光面１６から入射されて入射光（図３Ａ，図７中、入射光Ｌｉｎ）となる。入射光の少なくとも一部は、おおよそ導光板１４の内部を、受光面１６から離れる方向に進行する。このとき、入射光Ｌｉｎは、導光板１４内を受光面１６から離れる方向に進行するにつれ、導光板１４の背面２０側と発光面１９側との間で適宜全反射を繰り返して反射光となり、反射光の一部に、図３Ｃに示すように、背面２０側に形成された反射構造２１に向かう光がある。反射構造２１に向かう光の少なくとも一部は、反射構造２１を構成する凹部２２にて適宜反射や屈折等されて、導光板１４に形成される発光面１９に向かう反射光をなす。ここで反射光Ｌｒｅのうちの少なくとも一部には、全反射を起こさないものが生じる。そのような反射光Ｌｒｅの少なくとも一部が、図３Ａ，図３Ｃに示すように発光面１９から出射光Ｌｏｕｔとして外部へ出射される。そして、出射光Ｌｏｕｔは、図７、図１１に示すように、貯蔵室６内に向かって伝播され、貯蔵室６内を照らす光となる。
【００９７】
［貯蔵室６内の空間の照度］
照明モジュール１２が、受光面１６から導光板１４に光を入射した場合に発光面１９における受光面１６寄りの所定位置の輝度が発光面１９の中央位置の輝度より大きくなるように構成されている場合には、冷蔵庫１は、貯蔵室６の非角隅部と、貯蔵室６内空間における角隅部をバランスよく照らすことが容易なものとなる。図１１の例では、冷蔵庫１は、貯蔵室６の非角隅部（例えば図１１において、中央部Ｐｃｅ）と角隅部（図１１において、境界部Ｐｄｉ）との照度のバランスに優れたものとなりやすくなる。なお、図１１においては、説明の便宜上、扉５の記載を省略する。このことは、図１４についても同様である。
【００９８】
次に、実施例を用いて本発明をより詳細に説明する。
【実施例】
【００９９】
実施例１から３．
［導光板の調製］
まず、次に示すように、導光板を調製した。
【０１００】
（樹脂シートの準備）
導光板を構成する樹脂シートとして、縦４０ｃｍ×横２ｃｍ×厚み３ｍｍの矩形状をなしているスチレンと（メタ）アクリル化合物の共重合体からなる樹脂製のシート材を準備した。樹脂シートの表裏面のうちの一方面を、発光面側を向くほうの面（発光面予定面）とするとともに、樹脂シートの短手方向にのびる側面であって樹脂シートの長手方向に互いに逆端位置にある両側面を、受光面を形成する面（受光面予定面）として予め定めた。
【０１０１】
（反射構造の形成）
樹脂シートの表裏面のうち、発光面予定面とは逆面側となる背面側に、レーザー装置（ライティングアース社製）を用いて波長１０６００ｎｍ、照射エネルギー１ＫＷの条件にて炭酸ガスレーザーを照射し、ドット状の凹部を形成した。凹部は、例えば図３の例に示す凹部の配置パターンのような、縦横に並ぶ格子状の配置パターンとなるように多数形成された。このとき、複数の凹部で樹脂シートの短手方向に整列した凹部列が形成され、さらに樹脂シートの長手方向に間隔をあけて凹部列を配置してなる凹部群が形成された。個々のドットの大きさは同寸法に設定した。隣り合う凹部列の配列間隔（ｍｍ）は、次のように設定された。まず樹脂シートの背面を樹脂シートの長手方向に面順次に並ぶように３つの領域に等分区画し、一方の受光面予定面に近い位置にある領域から順に、第１域、第２域、第３域とした。このとき、発光面予定面の中央位置に対して真裏の位置が第２域に位置することとなる。第１域、第２域、第３域について、隣り合う凹部列の配列間隔は表１に示すとおりに設定された。
【０１０２】
【表１】
2015114005.tif 000003
【０１０３】
［照明モジュールの調製］
導光板の背面側に光反射シート、放熱板を配置するとともに導光板の２つの受光面それぞれに向かい合わせに光源を配置し放熱板に固定し、図１０Ｂに示すような構成となして、照明モジュールが調製された。
【０１０４】
光反射シートとしては、株式会社ツジデン製のＲＦ１８８が用いられた。また、光源については、複数の発光素子を所定間隔で固定材内に埋設された光源部材が準備された。なお、発光素子には、ＬＥＤが用いられた。
【０１０５】
［試験構造体の調製］
冷蔵庫の貯蔵室のモデル構造体として貯蔵室と同様に一方に開口した筐体（試験筐体）を準備し、試験筐体の内面のうち試験筐体の開口に向かって左側の内側壁面内で、且つ、試験筐体の開口近傍位置に照明モジュールを取り付け、試験構造体を得た。
【０１０６】
また、このとき、導光板の長手方向が試験筐体の上下方向にそろうように、照明モジュールが位置決めされて試験筐体内に配置された。
【０１０７】
実施例１から３で調製されたそれぞれの照明モジュールを用い、次のように、実施例１から３それぞれについて試験構造体が調製された。
【０１０８】
［照度確認試験］
上記ように実施例１から３のそれぞれについて調製された試験構造体を用い、照度確認試験が実施された。
【０１０９】
（発光面に近接した空間の照度測定試験）
発光面に近接した空間の照度（発光面近接空間照度）（ｌｘ）が次のように測定された。すなわち、照明モジュールの光源を点灯して導光板に光を入射して、発光面の中央位置、及び発光面のうちの受光面寄りの所定位置の近傍位置について、発光面の法線方向に沿った方向に発光面から１５ｍｍ離れた位置の空間部分の照度を測定することで、発光面近接空間照度が特定された。したがって、発光面近接空間照度としては、発光面の中央位置（発光面を短手方向及び長手方向に２等分する位置）についての発光面近接空間照度（Ｖｃ）、及び、発光面のうちの受光面寄りの所定位置の近傍位置についての発光面近接空間照度（Ｖｋ）が測定された。発光面のうちの受光面寄りの所定位置の近傍位置としては、発光面を短手方向に２等分する直線上の位置で、発光面のうちの受光面寄りの所定位置から若干中央位置に向かった位置（導光板の長手方向の長さの１／８だけ内側位置）が選択された。なお、このとき、発光面のうちの受光面寄りの所定位置の近傍位置についての発光面近接空間照度（Ｖｋ）は、それぞれの受光面について測定された照度の平均値とした。そして、これらの値を用いて照度比（発光面近接空間照度比）（Ｖｋ／Ｖｃ）が算出された。結果を表２に示す。ここに発光面のうち表面輝度が高い部分では、その近傍の空間部分における発光面近接空間照度が高くなることから、算出された照度比は、発光面の表面輝度を反映させたものとなっている。また、通常、発光面のうちの受光面寄りの所定位置の近傍位置の照度は、発光面のうちの受光面寄りの所定位置の照度におおよそ揃う。こうしたことから、算出された発光面近接空間照度比は、発光面の中央位置の輝度と発光面のうちの受光面寄りの所定位置の輝度の大小関係を反映している。なお、発光面近接空間照度の測定には、照度計（株式会社トプコンテクノハウス製、デジタル照度計（ＩＭ−６００））を用いた。後述する筐体内部空間照度測定試験での照度測定に用いた測定機もこれと同じである。
【０１１０】
（試験筐体内部空間の照度測定試験）
試験筐体内部空間の照度について、試験筐体の角隅部、非角隅部の照度（ｌｘ）を測定した。試験筐体内において、照度の測定対象とされる角隅部には、それぞれ図１１の境界部Ｐｄｉに対応する部分と同様に特定される境界部から選ばれた部分として、試験筐体内側の側面のうち照明モジュールの設置面と奥面の境界にあたる部分が選択された。非角隅部には、試験筐体内側の奥面の左右方向中央にあたる部分が選択された。角隅部の照度（Ａｋ）は、次のように特定された。角隅部のうち、試験筐体内空間の上端位置、中央位置（上下方向中央位置）、及び上端位置と中央位置の間の位置の３箇所を測定点として、各測定点について照度を測定してそれらの平均値を算出した。この平均値を角隅部の照度（ｌｘ）とした。非角隅部の照度（Ａｃ）についても、角隅部と同様に、非角隅部のうち、上端位置、中央位置（上下方向中央位置）、及び上端位置と中央位置の間の位置の３箇所を測定点として、各測定点について照度を測定してそれらの平均値を非角隅部の照度（ｌｘ）とした。そして、照度比（角隅部非角隅部照度比）（Ａｋ／Ａｃ）を算出した。結果を表２に示す。実施例１から３のいずれも、角隅部、非角隅部の両方ともに十分な明るさで照らされており、試験筐体内部空間内が全体的に照らされていることが確認される。また、実施例３では、照度比Ａｋ／Ａｃの値が１に近く、試験筐体内部空間がより一層バランスよく照らされていることが確認される。
【０１１１】
【表２】
2015114005.tif 000004
【符号の説明】
【０１１２】
１  冷蔵庫
２  冷蔵庫本体
３  開口部
４  断熱筐体
５  扉
６  貯蔵室
７  野菜室
８  冷凍室
９  引き出し構造体
１０  棚板
１１  引き出し
１２  照明モジュール
１３  光源
１４  導光板
１５  導光板の側面
１６  受光面
１８  導光板の表裏面の一方面
１９  発光面
２０  導光板の背面
２１  反射構造
２２  凹部
２３  凹部群
２４  凹部列
２５  導光板の側面
２７  光反射パターン層
２８  光反射パターン層形成単位体
３０  光源発光面
３１  発光素子
３２  光源部材
３３  固定体
３４  封止部
３５  ベース部
３６  反射材
３７  光反射シート
３８  放熱板
３９  導光板固定部材
４０  押さえ部
４１  固定部
４２  平板部
４３  延出壁部
４４  通孔
４５  緩衝材
４６  位置調整シート
４７  外装体
４８  内装体
４９  断熱材
５０  貯蔵室内の内側壁
５１  棚板の前端
５２  貯蔵室の内面の前端
５５  没入部
５６  没入部の底部
５７  カバー部材
５８  係止爪
５９  係止部
６０  受け溝
６１  段部
６２  ボス部
６３  カバー部材と放熱板を固定する固定材
６４  放熱板固定部
６５  放熱板固定脚
６６  保持部
６７  導光板固定部
６８  挟み部
７０  天井部
７１，７２  境界
７３  奥壁
７４  スペーサー
【図１】
2015114005.tif 000005
【図２】
2015114005.tif 000006
【図３】
2015114005.tif 000007
【図４】
2015114005.tif 000008
【図５】
2015114005.tif 000009
【図６】
2015114005.tif 000010
【図７】
2015114005.tif 000011
【図８】
2015114005.tif 000012
【図９】
2015114005.tif 000013
【図１０】
2015114005.tif 000014
【図１１】
2015114005.tif 000015
【図１２】
2015114005.tif 000016
【図１３】
2015114005.tif 000017
【図１４】
2015114005.tif 000018
【図１５】
2015114005.tif 000019
【図１６】
2015114005.tif 000020